(57)【要約】【課題】  同時記録および再生動作時に停止指示があった場合に、どの記録媒体の再生が停止されたかを容易に把握することのできるデータ記録再生装置を提供すること。【解決手段】  ユーザからの停止指示を受け付けた場合に、複数の記録媒体（たとえばＤＶＤやハードディスク）のいずれかから映像データの再生が行なわれているか否かを判断し（ステップＳ１０２）、再生が行なわれていた場合には、再生が行なわれている記録媒体を特定する（ステップＳ１０４）。そして、特定された記録媒体を表わす所定の情報を出力して、再生中の映像データに重ねて表示させる（ステップＳ１０６，Ｓ１１６）。その後、映像データの再生を停止する（ステップＳ１０８，Ｓ１１８）。【選択図】        図３
2006172621.tif 000002
【特許請求の範囲】
【請求項１】
映像データを受信するための受信手段と、
ユーザからの指示の入力を受け付けるための入力手段と、
前記映像データを格納するための複数の映像記録手段と、
前記入力手段により停止指示を受け付けた場合に、前記複数の映像記録手段のいずれかから前記映像データの再生が行なわれているか否かを判断するための第１の判断手段と、
前記第１の判断手段により前記映像データの再生が行なわれていると判断された場合に、前記映像データの再生を停止させるための再生停止制御手段とを備え、
前記再生停止制御手段は、
前記複数の映像記録手段のうち前記映像データの再生が行なわれている映像記録手段を特定するための特定手段と、
前記特定手段により特定された前記映像記録手段を表わす所定の情報を出力して、再生中の前記映像データに重ねて表示させるための出力手段と、
前記映像データの再生を停止した後に、他の映像記録手段のいずれかに前記映像データの書き込みが行なわれる場合には、書き込みが行なわれている前記映像データに切り替えて表示させるため切替手段とを含み、
前記第１の判断手段により前記映像データの再生が行なわれていないと判断された場合には、前記複数の映像記録手段のいずれかに前記映像データの書き込みが行なわれているか否かを判断するための第２の判断手段と、
前記第２の判断手段により前記映像データの書き込みが行なわれていると判断された場合には、前記映像データの書き込みを停止させるための書込停止手段とをさらに備える、データ記録再生装置。
【請求項２】
映像データを受信するための受信手段と、
ユーザからの指示の入力を受け付けるための入力手段と、
前記映像データを格納するための複数の映像記録手段と、
前記入力手段により停止指示を受け付けた場合に、前記複数の映像記録手段のいずれかから前記映像データの再生が行なわれているか否かを判断するための第１の判断手段と、
前記第１の判断手段により前記映像データの再生が行なわれていると判断された場合に、前記映像データの再生を停止させるための再生停止制御手段とを備え、
前記再生停止制御手段は、
前記複数の映像記録手段のうち前記映像データの再生が行なわれている映像記録手段を特定するための特定手段と、
前記特定手段により特定された前記映像記録手段を表わす所定の情報を出力して表示させるための出力手段とを含む、データ記録再生装置。
【請求項３】
前記再生停止制御手段は、前記映像データの再生を停止した後に、他の映像記録手段のいずれかに前記映像データの書き込みが行なわれる場合には、書き込みが行なわれている前記映像データに切り替えて表示させるため切替手段をさらに含む、請求項２に記載のデータ記録再生装置。
【請求項４】
前記出力手段は、再生中の前記映像データに重ねて前記所定の情報を表示させる、請求項２に記載のデータ記録再生装置。
【請求項５】
前記第１の判断手段により前記映像データの再生が行なわれていないと判断された場合には、前記複数の映像記録手段のいずれかに前記映像データの書き込みが行なわれているか否かを判断するための第２の判断手段と、
前記第２の判断手段により前記映像データの書き込みが行なわれていると判断された場合には、前記映像データの書き込みを停止させるための書込停止手段とをさらに備える、請求項２に記載のデータ記録再生装置。
【発明の詳細な説明】
【技術分野】
【０００１】
本発明は、データ記録再生装置に関し、特に、複数の記録媒体に映像データを記録する機能を備えるデータ記録再生装置に関する。
【背景技術】
【０００２】
従来より、たとえばＤＶＤ（Digital Versatile Disc）とハードディスクとを内蔵する装置や、ビデオテープとハードディスクとを内蔵する装置など、複数の記録媒体を備える装置が存在する。このように複数の記録媒体を備えたデータ記録再生装置では、ユーザはそれぞれの記録媒体の動作状態が把握できない場合がある。
【０００３】
特許文献１では、ＣＤＧ（Compact Disc Graphics）プレーヤとＶＣＲの複合機器において、蛍光表示パネル部にそれぞれの記録媒体の機能に区分して簡明に表示する機能表示制御方法が提案されている。これにより、ユーザは、蛍光表示パネル部を見るだけで、現在の動作状況を把握することができる。
【０００４】
また、特許文献２では、単一の記録媒体であっても、同時記録及び再生動作時に、ユーザの意図する方だけを停止させることができる情報記録再生装置が提案されている。
【０００５】
しかしながら、特許文献１では蛍光表示パネル部に各々の記録媒体の機能が表示されるものである。また、特許文献２では複数の記録媒体を備えたものではない。
【特許文献１】特開平８−２３５８４１号公報
【特許文献２】特開２００３−１５８７０１号公報
【発明の開示】
【発明が解決しようとする課題】
【０００６】
本発明は、上記のような問題を解決するためになされたものであって、その目的は、同時記録および再生動作時に停止指示があった場合に、どの記録媒体の再生が停止されたかを容易に把握することのできるデータ記録再生装置を提供することである。
【課題を解決するための手段】
【０００７】
この発明のある局面に従うデータ記録再生装置は、映像データを受信するための受信手段と、ユーザからの指示の入力を受け付けるための入力手段と、映像データを格納するための複数の映像記録手段と、入力手段により停止指示を受け付けた場合に、複数の映像記録手段のいずれかから映像データの再生が行なわれているか否かを判断するための第１の判断手段と、第１の判断手段により映像データの再生が行なわれていると判断された場合に、映像データの再生を停止させるための再生停止制御手段とを備え、再生停止制御手段は、複数の映像記録手段のうち映像データの再生が行なわれている映像記録手段を特定するための特定手段と、特定手段により特定された映像記録手段を表わす所定の情報を出力して、再生中の映像データに重ねて表示させるための出力手段と、映像データの再生を停止した後に、他の映像記録手段のいずれかに映像データの書き込みが行なわれる場合には、書き込みが行なわれている映像データに切り替えて表示させるため切替手段とを含み、第１の判断手段により映像データの再生が行なわれていないと判断された場合には、複数の映像記録手段のいずれかに映像データの書き込みが行なわれているか否かを判断するための第２の判断手段と、第２の判断手段により映像データの書き込みが行なわれていると判断された場合には、映像データの書き込みを停止させるための書込停止手段とをさらに備える。
【０００８】
この発明の他の局面に従うデータ記録再生装置は、映像データを受信するための受信手段と、ユーザからの指示の入力を受け付けるための入力手段と、映像データを格納するための複数の映像記録手段と、入力手段により停止指示を受け付けた場合に、複数の映像記録手段のいずれかから映像データの再生が行なわれているか否かを判断するための第１の判断手段と、第１の判断手段により映像データの再生が行なわれていると判断された場合に、映像データの再生を停止させるための再生停止制御手段とを備え、再生停止制御手段は、複数の映像記録手段のうち映像データの再生が行なわれている映像記録手段を特定するための特定手段と、特定手段により特定された映像記録手段を表わす所定の情報を出力して表示させるための出力手段とを含む。
【０００９】
好ましくは、再生停止制御手段は、映像データの再生を停止した後に、他の映像記録手段のいずれかに映像データの書き込みが行なわれる場合には、書き込みが行なわれている映像データに切り替えて表示させるため切替手段をさらに含む。
【００１０】
好ましくは、出力手段は、再生中の映像データに重ねて所定の情報を表示させる。
【００１１】
好ましくは、第１の判断手段により映像データの再生が行なわれていないと判断された場合には、複数の映像記録手段のいずれかに映像データの書き込みが行なわれているか否かを判断するための第２の判断手段と、第２の判断手段により映像データの書き込みが行なわれていると判断された場合には、映像データの書き込みを停止させるための書込停止手段とをさらに備える。
【発明の効果】
【００１２】
本発明によると、停止指示があった場合に、再生が停止された映像記録手段（記録媒体）を特定して表示することができる。これにより、ユーザは、どの映像記録手段の再生が停止されたかを容易に把握することができる。
【発明を実施するための最良の形態】
【００１３】
本発明の実施の形態について図面を参照しながら詳細に説明する。なお、図中同一または相当部分には同一符号を付してその説明は繰返さない。
【００１４】
［実施の形態１］
図１を参照して、本発明の実施の形態１に係るデータ記録装置の一態様であるＤＶＤレコーダ１００について説明する。図１は、ＤＶＤレコーダ１００のハードウェア構成を表わすブロック図である。
【００１５】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン１２０からのリモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダにおける時刻情報、番組の録画状態等である。
【００１６】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、チューナ１３０および外部入力部１３２より入力されるアナログ信号をデジタル信号に変換して出力するためのＡ／Ｄ（Analog to Digital）変換部１３４と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、テレビ４００に映像音声信号を出力するための出力部１６８とを含む。ＤＶＤレコーダ１００は、図示しない伝送ケーブルを介してテレビ４００に接続される。ハードディスク装置１４０は、データの記録と再生を行なうデータ記録再生ヘッド１４２と、データが格納されるハードディスク１４４とを含む。
【００１７】
図２は、リモコン１２０の一例を示す平面図である。
【００１８】
図２を参照して、リモコン１２０には、ＤＶＤレコーダ１００への電源の投入の状態を変更するための電源キー２１と、ＤＶＤ駆動装置１７０に対する指示を与えるためのＤＶＤキー２２、ハードディスク装置１４０に対する指示を与えるためのＨＤＤキー２３、「１」〜「０」、および「＋１０」の数字を入力するための数字キー２４、アンテナ１９０を介して受信したデータをＤＶＤ１７２またはハードディスク１４４に記録するための録画キー２５、ＤＶＤ１７２またはハードディスク１４４に記録された映像音声データの再生指示を与えるための再生キー２６、当該再生を早送りさせるための早送りキー２８、当該再生を巻戻すための巻戻しキー２９、再生および録画を停止させるための停止キー２７が含まれる。
【００１９】
なお、操作部１２２からもリモコン１２０からの指示と同様の指示が入力されるものとする。
【００２０】
本実施の形態におけるＤＶＤレコーダ１００は、たとえばハードディスク１４４への録画とＤＶＤ１７２の再生とを同時に行なうことができる。しかしながら、ＤＶＤレコーダ１００のリモコン１２０には停止キー２７が一つあるのみである。本実施の形態におけるＤＶＤレコーダ１００は、ユーザにより停止キー２７が押下されると、記録媒体の種類にかかわらず再生を優先して停止する。したがって、通常、このような場合にユーザはどの記録媒体からの再生が停止されたのかが分からない。
【００２１】
そこで、本発明の実施の形態１に係るＤＶＤレコーダ１００のシステム制御回路１１０は以下のような制御を行なう。
【００２２】
図３は、本発明の実施の形態１におけるＤＶＤレコーダ１００のシステム制御回路１１０が実行する停止制御処理の流れを示すフローチャートである。なお、図３に示す停止制御処理は、ユーザによりリモコン１２０の停止キー２７が１回押下されたときに開始される処理である。
【００２３】
図３を参照して、はじめに、システム制御回路１１０は、ＤＶＤ１７２に格納された映像データまたはハードディスク１４４に格納された映像データの再生が行なわれているか否かを判断する（ステップＳ１０２）。システム制御回路１１０は、ＤＶＤ１７２またはハードディスク１４４のいずれか再生中であると判断した場合に（ステップＳ１０２においてＹＥＳ）、次に、再生中の記録媒体が何かを判断する（ステップＳ１０４）。
【００２４】
ここで、本実施の形態におけるＤＶＤレコーダ１００は、たとえばメモリ１１２に、どの記録媒体から再生が行なわれているか、またどの記録媒体へ書き込みが行なわれているかの情報を保持している。したがって、システム制御回路１１０は、メモリ１１２に保持されるこれらの情報を参照することにより、どの記録媒体で再生が行なわれているか、などを判断することができる。
【００２５】
ステップＳ１０４において、再生中の記録媒体がＤＶＤ１７２であった場合には、システム制御回路１１０は、「ＤＶＤ」の文字（マーク）を、所定期間（たとえば１〜２秒）再生中の画面にＯＳＤ表示させる（ステップＳ１０６）。より詳しくは、システム制御回路１１０は、ＯＳＤ画像生成回路１１４に「ＤＶＤ」の文字表示を生成させる指示を与え、その画像をテレビ４００に表示させる。その後、システム制御回路１１０は、ＤＶＤ駆動装置１７０に再生停止の指示を与え、ＤＶＤ１７２の再生を停止させる（ステップＳ１０８）。なお、ステップＳ１０６の処理とステップＳ１０８の処理とは逆の順序で行なわれてもかまわない。
【００２６】
続いて、システム制御回路１１０は、他方の記録媒体、すなわちハードディスク１４４に録画中か否かを判断する（ステップＳ１１０）。システム制御回路１１０は、ハードディスク１４４に録画中であると判断した場合には（ステップＳ１１０においてＹＥＳ）、テレビ４００にハードディスク１４４への録画中画面に切り替えて表示させる（ステップＳ１１２）。その後ステップＳ１１４に処理を移行する。また、システム制御回路１１０は、ステップＳ１１０において、ハードディスク１４４に録画中でないと判断した場合には（ステップＳ１１０においてＮＯ）、ステップＳ１１４に処理を移行する。
【００２７】
ステップＳ１１４において、再生を停止したことを示す、たとえば白の停止マークを所定期間（たとえば１〜２秒）ＯＳＤ表示させて、この停止制御処理を終了する。
【００２８】
一方、ステップＳ１０４において、再生中の記録媒体がハードディスク１４４であった場合には、システム制御回路１１０は、「ＨＤＤ」の文字を、所定期間（たとえば１〜２秒）再生中の画面にＯＳＤ表示させる（ステップＳ１１６）。その後、システム制御回路１１０は、ハードディスク装置１４０に再生停止の指示を与え、ハードディスク１４４の再生を停止させる（ステップＳ１１８）。なお、ステップＳ１１６の処理とステップＳ１１８の処理とは逆の順序で行なわれてもかまわない。
【００２９】
続いて、システム制御回路１１０は、他方の記録媒体、すなわちＤＶＤ１７２に録画中か否かを判断する（ステップＳ１２０）。システム制御回路１１０は、ＤＶＤ１７２に録画中であると判断した場合には（ステップＳ１２０でＹＥＳ）、テレビ４００にＤＶＤ１７２への録画中画面に切り替えて表示させる（ステップＳ１２２）。その後、上述のステップＳ１１４に処理を移行する。また、システム制御回路１１０は、ステップＳ１２０において、ＤＶＤ１７２に録画中でないと判断した場合にも（ステップＳ１２０においてＮＯ）、上述のステップＳ１１４に処理を移行する。
【００３０】
また、ステップＳ１０２において、ＤＶＤ１７２またはハードディスク１４４のいずれも再生されていないと判断した場合には（ステップＳ１０２においてＮＯ）、ステップＳ１２４に処理を移行する。ステップＳ１２４において、システム制御回路１１０は、ＤＶＤ１７２またはハードディスク１４４のいずれかに録画中か否かを判断する。システム制御回路１１０は、ＤＶＤ１７２またはハードディスク１４４のいずれかに録画中であると判断した場合には（ステップＳ１２４においてＹＥＳ）、メッセージをＯＳＤ表示する（ステップＳ１２６）。このメッセージは、ユーザに対して本当に録画を停止してもよいかを確認するためのメッセージである。システム制御回路１１０は、ユーザより停止指示があれば（ステップＳ１２８においてＹＥＳ）、録画を停止させる（ステップＳ１３０）。ユーザからの停止指示は、たとえばリモコン１２０の図示しないカーソルキーや決定キーをユーザが操作することにより得られる。次に、システム制御回路１１０は、録画を停止したことを示す、たとえば赤の停止マークを所定期間（たとえば１〜２秒）ＯＳＤ表示させて（ステップＳ１３２）、この停止制御処理を終了する。
【００３１】
上記ステップＳ１２４において、ＤＶＤ１７２またはハードディスク１４４のいずれにも録画中でないと判断した場合（ステップＳ１２４においてＮＯ）、この停止制御処理を終了する。また、上記ステップＳ１２８においてユーザより停止指示がない場合（ステップＳ１２８においてＮＯ）、この停止制御処理を終了する。ここで、ステップＳ１２８においてユーザより停止指示がない場合とは、たとえばリモコン１２０の図示しないカーソルキーや決定キーをユーザが操作することにより録画を停止しない指示が入力された場合や、所定期間（たとえば１０秒）内に何も指示の入力がない場合を示す。
【００３２】
なお、ステップＳ１２６およびステップＳ１２８の処理は、省略してもかまわない。また、ステップＳ１３０で録画を停止した記録媒体を示す文字などを、ステップＳ１０６やステップＳ１１６の処理と同様にＯＳＤ表示させることとしてもよい。
【００３３】
また、ステップＳ１０６およびステップＳ１１６でＯＳＤ表示させる画像は、文字でなくても、停止させた記録媒体名が分かるものであればよい。たとえばアイコンやロゴを表示させることとしてもよい。
【００３４】
図４は、図３のステップＳ１０６〜Ｓ１１４の処理の際の表示画面の遷移例を示す図である。図４（ａ）を参照して、はじめ、テレビ４００には、ＤＶＤ１７２に記録された映像データが再生されている。次に、図４（ｂ）を参照して、ユーザから停止指示が入力されると、再生されていた記録媒体、すなわちＤＶＤ１７２を表わす「ＤＶＤ」の文字４１が、たとえば画面の左下に表示される（ステップＳ１０８）。図４（ｃ）を参照して、ハードディスク１４４に録画がされていた場合にはその録画中画面が表示され（ステップＳ１１２）、白の停止マーク４２がたとえば画面の左下に表示される（ステップＳ１１４）。
【００３５】
［実施の形態２］
図５を参照して、本発明の実施の形態２に係るデータ記録装置の一態様であるハードディスクレコーダ２００について説明する。図５は、ハードディスクレコーダ２００のハードウェア構成を表わすブロック図である。なお、実施の形態１に係るＤＶＤレコーダ１００の構成要素と同一のものには、同一の番号を付してある。それらの機能も同じである。したがって、それらについての説明は、繰り返さない。
【００３６】
図５を参照して、実施の形態２に係るハードディスクレコーダ２００は、実施の形態１に係るＤＶＤレコーダ１００に備えられたＤＶＤ駆動装置１７０に代えて、ビデオテープ駆動装置２７０が備えられる。ビデオテープ駆動装置２７０には、ビデオテープ２７２が装着される。
【００３７】
また、ＯＳＤ画像生成回路１１４と合成回路１５８との間に切替回路２８２が設けられる。切替回路２８２は、システム制御回路１１０からの指示に基づき、合成回路１５８またはＤ／Ａ変換部１６０のいずれか一方に画像データを出力する。
【００３８】
さらに、Ｄ／Ａ変換部１６０と出力部１６８との間に切替回路２８６が設けられる。また、ビデオテープ駆動装置２７０と切替回路２８６との間に合成回路２８４が設けられる。切替回路２８６は、システム制御回路１１０からの指示に基づき、Ｄ／Ａ変換部１６０または合成回路２８４のいずれか一方から映像データを受信する。
【００３９】
なお、実施の形態２における受光部１２４も、実施の形態１に示したリモコン１２０と同様のリモコン（図示せず）から指示の入力を受け付ける。
【００４０】
このような構成のハードディスクレコーダ２００における録画処理および再生処理について説明する。
【００４１】
（ビデオテープへの録画）
ビデオテープ駆動装置２７０は、システム制御回路１１０からの指示に基づいて、アンテナ１９０を介してチューナ１３０で受信される映像データを、装着されているビデオテープ２７２に録画する。
【００４２】
（ビデオテープの再生）
ビデオテープ駆動装置２７０は、システム制御回路１１０からの指示に基づいて、装着されているビデオテープ２７２に格納された映像データを合成回路２８４に出力する。さらに、合成回路２８４から切替回路２８６を介して出力部１６８に映像データを出力する。
【００４３】
また、ＯＳＤ画像生成回路において生成された画像データは、切替回路２８２を介してＤ／Ａ変換部１６０に出力される。Ｄ／Ａ変換部１６０でアナログ信号に変換されてから、画像データは、合成回路２８４に出力される。そして、合成回路２８４でビデオテープ駆動装置２７０からの映像データとＤ／Ａ変換部１６０からの画像データとを合成する。そして、合成した映像データを、切替回路２８６を介して出力部１６８に出力する。
【００４４】
このようにして、出力部１６８からテレビ４００に映像データが出力されて表示される。
【００４５】
なお、他の構成および動作については実施の形態１と同様であるので、それらについての説明は繰り返さない。
【００４６】
図６は、本発明の実施の形態２におけるハードディスクレコーダ２００のシステム制御回路１１０が実行する停止制御処理の流れを示すフローチャートである。なお、実施の形態１において図３のフローチャートを用いて示した処理に相当する処理については同じステップ番号を付してある。したがって、これらについての説明は繰り返さない。
【００４７】
図６を参照して、ステップＳ２０４において、システム制御回路１１０は、ビデオテープ２７２またはハードディスク１４４のいずれかより再生中であると判断した場合に（ステップＳ１０２においてＹＥＳ）、再生中の記録媒体が何かを判断する。
【００４８】
ステップＳ２０４において、再生中の記録媒体がビデオテープ２７２であった場合には、システム制御回路１１０は、「ビデオテープ」の文字を、所定期間（たとえば１〜２秒）再生中の画面にＯＳＤ表示させる（ステップＳ２０６）。その後、システム制御回路１１０は、ＤＶＤ駆動装置１７０に再生停止の指示を与え、ビデオテープ２７２の再生を停止させる（ステップＳ２０８）。なお、ステップＳ１０６において表示される画像は、「ビデオテープ」という文字でなくてもよく、「ＶＨＳ」という文字や、アイコンなど、停止された記録媒体がビデオテープであることが分かればよい。
【００４９】
また、ステップＳ１１８においてハードディスク１４４の再生が停止された後、システム制御回路１１０は、他方の記録媒体、すなわちビデオテープ２７２に録画中か否かを判断する（ステップＳ２２０）。システム制御回路１１０は、ビデオテープ２７２に録画中であると判断した場合には（ステップＳ２２０においてＹＥＳ）、テレビ４００にビデオテープ２７２への録画中画面に切り替えて表示させる（ステップＳ２２２）。
【００５０】
［実施の形態３］
図７を参照して、本発明の実施の形態３に係るデータ記録装置の一態様であるＤＶＤレコーダ３００について説明する。図７は、ＤＶＤレコーダ３００のハードウェア構成を表わすブロック図である。なお、実施の形態１に係るＤＶＤレコーダ１００および実施の形態２に係るハードディスクレコーダ２００の構成要素と同一のものには、同一の番号を付してある。それらの機能も同じである。したがって、それらについての説明は、繰り返さない。
【００５１】
図７を参照して、実施の形態３に係るＤＶＤレコーダ３００は、実施の形態１に係るＤＶＤレコーダ１００に備えられたハードディスク装置１４０に代えて、ビデオテープ駆動装置２７０が備えられる。ビデオテープ駆動装置２７０には、ビデオテープ２７２が装着される。なお、実施の形態３における受光部１２４も、実施の形態１に示したリモコン１２０と同様のリモコン（図示せず）から指示の入力を受け付ける。
【００５２】
ビデオテープ駆動装置２７０に係る再生動作や録画動作は、実施の形態２において説明した動作と同様の処理が行なわれるため、ここでは説明を繰り返さない。
【００５３】
図８は、本発明の実施の形態３におけるＤＶＤレコーダ３００のシステム制御回路１１０が実行する停止制御処理の流れを示すフローチャートである。なお、実施の形態１において図３のフローチャートを用いて示した処理に相当する処理については同じステップ番号を付してある。したがって、これらについての説明は繰り返さない。
【００５４】
図８を参照して、ステップＳ３０４において、システム制御回路１１０は、ＤＶＤ１７２またはビデオテープ２７２のいずれかより再生中であると判断した場合に（ステップＳ１０２においてＹＥＳ）、再生中の記録媒体が何かを判断する（ステップＳ３０４）。
【００５５】
また、システム制御回路１１０は、他方の記録媒体、すなわちビデオテープ２７２に録画中か否かを判断する（ステップＳ３１０）。システム制御回路１１０は、ビデオテープ２７２に録画中であると判断した場合には（ステップＳ３１０においてＹＥＳ）、テレビ４００にビデオテープ２７２への録画中画面に切り替えて表示させる（ステップＳ３１２）。
【００５６】
また、ステップＳ３０４において、再生中の記録媒体がビデオテープ２７２であった場合には、システム制御回路１１０は、「ビデオテープ」の文字を、所定期間（たとえば１〜２秒）再生中の画面にＯＳＤ表示させる（ステップＳ３１６）。その後、システム制御回路１１０は、ビデオテープ駆動装置２７０に再生停止の指示を与え、ビデオテープ２７２の再生を停止させる（ステップＳ３１８）。
【００５７】
なお、実施の形態１〜３において、記録媒体が２種類の場合について説明したが、３種類以上であってもかまわない。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５９】
【図１】本発明の実施の形態１に係るＤＶＤレコーダのハードウェア構成を表わすブロック図である。
【図２】リモコンの一例を示す平面図である。
【図３】本発明の実施の形態１におけるＤＶＤレコーダのシステム制御回路が実行する停止制御処理の流れを示すフローチャートである。
【図４】図３のステップＳ１０６〜Ｓ１１４の処理の際の表示画面の遷移例を示す図である。
【図５】本発明の実施の形態２に係るハードディスクレコーダのハードウェア構成を表わすブロック図である。
【図６】本発明の実施の形態２におけるハードディスクレコーダのシステム制御回路が実行する停止制御処理の流れを示すフローチャートである。
【図７】本発明の実施の形態３に係るＤＶＤレコーダのハードウェア構成を表わすブロック図である。
【図８】本発明の実施の形態３におけるＤＶＤレコーダのシステム制御回路が実行する停止制御処理の流れを示すフローチャートである。
【符号の説明】
【００６０】
１００，３００  ＤＶＤレコーダ、１１０  システム制御回路、１１２  メモリ、１１４  ＯＳＤ画像生成回路、１２０  リモコン、１２２  操作部、１２４  受光部、１２６  計時回路、１２８  表示部、１３０  チューナ、１３２  外部入力部、１３４  Ａ／Ｄ変換部、１４０  ハードディスク装置、１４２  データ記録再生ヘッド、１４４  ハードディスク、１５２  ＭＰＥＧエンコーダ、１５４  ＭＰＥＧデコーダ、１５８，２８４  合成回路、１６０  Ｄ／Ａ変換部、１６８  出力部、１７０  ＤＶＤ駆動装置、１９０  アンテナ、２００  ハードディスクレコーダ、２７０  ビデオテープ駆動装置、２７２  ビデオテープ、２８２，２８６  切替回路、４００  テレビ。
【図１】
2006172621.tif 000003
【図２】
2006172621.tif 000004
【図３】
2006172621.tif 000005
【図４】
2006172621.tif 000006
【図５】
2006172621.tif 000007
【図６】
2006172621.tif 000008
【図７】
2006172621.tif 000009
【図８】
2006172621.tif 000010